(57)【特許請求の範囲】
【請求項１】
浮体と、
下端に吸込口を有し、前記浮体から下方に突出する吸込管と、
上端に噴出口を有し、前記浮体から上方に突出する噴水管と、
前記浮体に上方に突出して設けられた支柱と、
前記支柱により支持され、一端が前記噴水管の噴出口から排出される水を受けるよう配置され、他端が下がるよう傾斜した樋材と、
前記樋材の内部に設けられた濾材と、
前記浮体に収容され、前記吸込管の吸込口から水を吸い上げて前記噴水管の噴出口から排出するよう前記吸込管および前記噴水管に接続されたポンプとを、
有することを特徴とする水質浄化装置。
【請求項２】
前記浮体は推進器を備えており、前記吸込管は排出口を有し、注水口および排水口を有して前記浮体の内部に設けられた水位調整槽と、前記吸込管に前記吸込口から空気を噴き出すよう接続されたコンプレッサと、前記吸込管の吸込口から泥を吸い上げて前記排出口から排出するよう前記吸込管に接続されたバキューム装置とを有することを、特徴とする請求項１記載の水質浄化装置。
【請求項３】
前記吸込管は動力により伸縮して前記浮体の内部に収容可能であり、前記噴水管は前記支柱を貫通しており、前記支柱は動力により伸縮可能であって前記浮体に対し回転可能であることを、特徴とする請求項１または２記載の水質浄化装置。
【発明の詳細な説明】
【０００１】
【発明の属する技術分野】
本発明は、湖沼を浄化するのに適した水質浄化装置に関する。
【０００２】
【従来の技術】
従来、湖沼を浄化する技術として、浚渫機により湖沼の水底の泥を浚うことが一般に行われている。
【０００３】
【発明が解決しようとする課題】
しかしながら、従来の技術は、水自体を浄化するものではなかった。
本発明は、湖沼などの水を直接、浄化することができる水質浄化装置を提供することを目的としている。
【０００４】
【課題を解決するための手段】
上記目的を達成するために、請求項１の本発明に係る水質浄化装置は、浮体と；下端に吸込口を有し、前記浮体から下方に突出する吸込管と；上端に噴出口を有し、前記浮体から上方に突出する噴水管と；前記浮体に上方に突出して設けられた支柱と；前記支柱により支持され、一端が前記噴水管の噴出口から排出される水を受けるよう配置され、他端が下がるよう傾斜した樋材と；前記樋材の内部に設けられた濾材と；前記浮体に収容され、前記吸込管の吸込口から水を吸い上げて前記噴水管の噴出口から排出するよう前記吸込管および前記噴水管に接続されたポンプとを；有することを特徴とする。
【０００５】
浮体は、船であっても、浮きであってもよい。浮体の平面形状は、円形、菱形、その他いかなる形状であってもよい。吸込管は、常時、浮体から下方に突出していても、浮体の内部に収容可能として使用の際だけ下方に突出するようにしてもよい。樋材は、噴水管を中心として傘の骨状に設けられていても、傘状に設けられていてもよい。樋材は、溝状であっても筒状であってもよい。樋材の上部には、太陽電池パネルが設けられてもよい。樋材は、受水槽を介して噴水管の噴出口から出る水を受けるようになっていてもよい。噴水管の側壁に開口を設け、樋材の一端をその開口に接続してもよい。濾材は、砂、活性炭、かき殻、その他、水質浄化のためのいかなる濾材であってもよい。濾材は、網や袋などの容器に収容されていることが好ましい。ポンプによる噴水管の噴出口からの水の噴出は、タイミングや高さを調整できることが好ましい。噴水管から噴出する水および樋材から流れ落ちる水をライトアップする照明装置を設けてもよい。
【０００６】
請求項１の本発明に係る水質浄化装置は、浮体により水に浮き、湖沼などの水面に浮かべて使用する。ポンプは、吸込管の吸込口から水を吸い上げて噴水管の噴出口から排出する。噴出口から排出される水は、曝気により浄化されるとともに、噴水として楽しむことができる。噴水管の噴出口から排出された水は、樋材の一端から濾材を通って他端へと流れ、濾材により浄化される。樋材の他端から流れ落ちる水は、流れ落ちる際にさらに曝気される。
【０００７】
請求項２の本発明に係る水質浄化装置は、請求項１の水質浄化装置において、前記浮体は推進器を備えており、前記吸込管は排出口を有し、注水口および排水口を有して前記浮体の内部に設けられた水位調整槽と、前記吸込管に前記吸込口から空気を噴き出すよう接続されたコンプレッサと、前記吸込管の吸込口から泥を吸い上げて前記排出口から排出するよう前記吸込管に接続されたバキューム装置とを有することを、特徴とする。
【０００８】
請求項２の本発明に係る水質浄化装置では、推進器により水面を移動することができる。また、浮体は、水位調整槽に注水口から水を入れたり排水口から水を抜いたりして水位を調整し、バランスをとることができる。水位調整槽の注水口は吸込管に接続され、排水口は噴水管に接続されていてもよい。水質浄化装置は、コンプレッサにより吸込管の吸込口から空気を噴き出して水中に空気を送り、好気性微生物の活動を活発にして水質を浄化することができる。さらに、バキューム装置により吸込管の吸込口から泥を吸い上げて排出口から排出し、浚渫を行うことができる。
【０００９】
請求項３の本発明に係る水質浄化装置は、請求項１または２の水質浄化装置において、前記吸込管は動力により伸縮して前記浮体の内部に収容可能であり、前記噴水管は前記支柱を貫通しており、前記支柱は動力により伸縮可能であって前記浮体に対し回転可能であることを、特徴とする。
【００１０】
請求項３の本発明に係る水質浄化装置は、吸込管を浮体の内部に収容することにより水深の浅いところに繋留することができる。また、吸込管を伸縮させることにより、浄化する水深を変えることができる。支柱を伸縮させることにより樋材を上下させて、移動の際などに浮体のバランスを安定させることができる。さらに、樋材を上下させたり回転させたりすることにより、見て楽しむことができる。
【００１１】
【発明の実施の形態】
以下、図面に基づき本発明の実施の形態について説明する。
図１および図２は、本発明の実施の形態を示している。
図１に示すように、水質浄化装置１は、浮体２と、水位調整槽３と、吸込管４と、噴水管５と、支柱６と、樋材７と、濾材８と、ポンプ９と、発電機１０と、油圧モータ１１と、コンプレッサ１２と、バキューム装置１３とを有している。
【００１２】
浮体２は、船状であって底部側側部に推進器１４と操舵器１５とを備えている。推進器１４と操舵器１５とは、発電機１０を動力として遠隔操作で作動するようになっている。ポンプ９、発電機１０、油圧モータ１１、コンプレッサ１２およびバキューム装置１３は、水位調整槽３の上に設けられた機械室１６に設置されている。水位調整槽３は、注水口および排水口を有している。注水口は弁を介して吸込管４の内部に連通し、排水口は弁を介して噴水管５の内部に連通している。水位調整槽３は、浮体２の内部の底部に設けられている。
【００１３】
吸込管４は、下端に吸込口４ａを有し、上端に排出口を有している。吸込管４は、発電機１０を動力として３ｍ〜３０ｍの長さまで伸縮可能であり、浮体２から下方に突出している。噴水管５は、上端に噴出口５ａを有し、下端に吸込口４ａを有して、浮体２から上方に突出している。噴水管５は、支柱６の中心を貫通して設けられている。支柱６は、浮体２の中央に上方に突出して設けられている。支柱６は、油圧モータ１１により伸縮可能であり、また、浮体２に対し回転可能となっている。
【００１４】
樋材７は、複数本が支柱６の周囲に傘状になるよう設けられ、支柱６により支持されている。各樋材７は、図２に示すように、断面がコの字型をなして溝を有し、上部が開放している。各樋材７は、一端７ａが噴水管５の噴出口５ａから排出される水を下方で受けるよう噴水管５の周囲に配置され、他端７ｂが下がるよう傾斜している。図２に示すように、濾材８は、金網ケースに収容されて、樋材７の内部に設けられている。濾材８は、砂および活性炭から成る。
【００１５】
ポンプ９は、吸込管４および噴水管５に接続されている。ポンプ９は、吸込管４の吸込口４ａから水を吸い上げて噴水管５の噴出口５ａから排出する。ポンプ９は、噴出口５ａから最大２０ｍ〜１００ｍの高さまで水を噴出することができる。コンプレッサ１２は、吸込管４に接続されており、吸込口４ａから空気を噴き出す。バキューム装置１３は、吸込管４に接続されており、吸込管４の吸込口４ａから泥を吸い上げて排出口から排出する。ポンプ９、コンプレッサ１２およびバキューム装置１３は、発電機１０を動力としている。ポンプ９、発電機１０、油圧モータ１１、コンプレッサ１２およびバキューム装置１３は、遠隔操作で作動可能である。水質浄化装置１は、錨を有していることが好ましい。
【００１６】
次に、作用について説明する。
水質浄化装置１は、湖沼などの水面に浮かべ、遠隔操作で操作して使用する。水質浄化装置１は、浮体２により水に浮き、推進器１４により移動することができる。移動方向は、操舵器１５により操作することができる。移動する際には、支柱６を縮めて樋材７を下げ、浮体２のバランスを安定させることができる。水質浄化装置１は、繋留する場合には、吸込管４を縮めて水深の浅いところに繋留することができる。浮体２は、水位調整槽３に注水口から水を入れたり排水口から水を抜いたりして水位を調整し、バランスをとることができる。
【００１７】
ポンプ９は、作動させると、吸込管４の吸込口４ａから水を吸い上げて噴水管５の噴出口５ａから噴出して排出する。噴出口５ａから排出される水は、曝気により浄化されるとともに、噴水として楽しむことができる。噴水管５の噴出口５ａから排出された水は、樋材７の一端７ａから濾材８を通って他端へと流れ、濾材８により浄化される。しかしながら、噴水管５の噴出口５ａから排出された水は、樋材７の一端７ａから濾材８を通らずに、噴出により樋材７の中間部まで越えて中間部の濾材８の上から浸透し流れるようにしてもよい。この場合、落下した噴水の水は濾材８に当たって衝撃を吸収され、水の跳ね返りを緩和することができ、また、濾材８の目詰まりを落下した水の衝撃で除去することができる。樋材７の他端７ｂから流れ落ちる水は、流れ落ちる際にさらに曝気される。吸込管４を伸縮させれば、浄化する水深を変更することができる。また、支柱６を伸ばして樋材７を上げ、樋材７から流れ落ちる水の曝気時間を伸ばすことができる。さらに、樋材７を上下させたり回転させたりすることにより、見て楽しむことができる。
【００１８】
さらに、水質浄化装置１は、コンプレッサ１２により吸込管４の吸込口４ａから空気を噴き出して水中に空気を送り、好気性微生物の活動を活発にして水質を浄化することができる。また、水質浄化装置１は、バキューム装置１３により吸込管４の吸込口４ａから泥を吸い上げて排出口から排出し、浚渫を行うことができる。水質浄化装置１は、水質浄化の目的のほか、移動式噴水として湖沼などに浮かべ、観光客を集めるのに利用することができる。
【００１９】
【発明の効果】
本発明に係る水質浄化装置によれば、吸込管により吸い上げた水を噴水管の噴出口から排出して曝気し、さらに樋材の濾材を通して浄化し、湖沼などの水を直接、浄化することができる。
【００２０】
特に、請求項２の本発明に係る水質浄化装置によれば、湖沼などに浮かんで移動することができ、水位調整槽により水位を調整してバランスをとることができ、さらに、コンプレッサにより吸込管の吸込口から水中に空気を送ったり、バキューム装置により吸込管の吸込口から泥を吸い上げたりして、湖沼などを浄化することができる。
【００２１】
特に、請求項３の本発明に係る水質浄化装置によれば、水深の浅いところへの繋留、浄化する水深の変更、移動の際の浮体のバランスの安定などを容易にすることができ、また、濾材を上下させたり回転させたりして見て楽しむことができる。
【図面の簡単な説明】
【図１】本発明の実施の形態の水質浄化装置を示す側面図である。
【図２】図１の水質浄化装置の樋材を示す斜視図である。
【符号の説明】
１  水質浄化装置
２  浮体
３  水位調整槽
４  吸込管
５  噴水管
６  支柱
７  樋材
８  濾材
９  ポンプ
【図１】
0003868108.tif 000002
【図２】
0003868108.tif 000003